【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
イニシエータデバイスにおいてインデックスデータベースを生成する方法であって、
少なくとも１つのオブジェクトの選択の指示を受け取る段階と、
レスポンダーデバイスの少なくとも１つのデバイスパラメータにアクセスする段階と、
前記レスポンダーデバイスの少なくとも１つのデバイスパラメータに基づいて前記少なくとも１つのオブジェクトに対してインデックスデータベースを生成する段階と、
前記インデックスデータベースを前記レスポンダーデバイスに転送する段階と、
を含む方法。
【請求項２】
前記少なくとも１つのオブジェクトは、前記イニシエータデバイス及び前記レスポンダーデバイスの少なくとも１つに記憶される、
ことを特徴とする請求項１に記載の方法。
【請求項３】
前記レスポンダーデバイスの少なくとも１つのデバイスパラメータにアクセスする段階は、デバイスパラメータのセットを含むデバイスプロファイルにアクセスする段階を含む、
ことを特徴とする請求項１に記載の方法。
【請求項４】
前記デバイスプロファイルは、前記イニシエータデバイス上に記憶される、
ことを特徴とする請求項３に記載の方法。
【請求項５】
前記レスポンダーデバイスの少なくとも１つのデバイスパラメータにアクセスする段階は、少なくとも１つのデバイスパラメータを前記レスポンダーデバイスから前記イニシエータデバイスに伝達する段階を含む、
ことを特徴とする請求項１に記載の方法。
【請求項６】
少なくとも１つのデバイスパラメータを伝達する段階は、汎用接続プロトコルを使用する段階を含む、
ことを特徴とする請求項５に記載の方法。
【請求項７】
前記汎用接続プロトコルは、メディア転送プロトコルを含む、
ことを特徴とする請求項６に記載の方法。
【請求項８】
前記レスポンダーデバイスの少なくとも１つのデバイスパラメータは、ハードウェアパラメータ、ソフトウェアパラメータ、レコードフォーマットの選好、レコード配置の選好、デバイス使用情報、及びデバイス性能情報の少なくとも１つを含む、
ことを特徴とする請求項１に記載の方法。
【請求項９】
前記レスポンダーデバイスは、携帯用デバイス、メディアデバイス、オーディオプレーヤーデバイス、ビデオプレーヤーデバイス、デジタルカメラデバイス、ビデオカメラデバイス、セルラー電話、及びパーソナルデータアシスタントの少なくとも１つを含む、
ことを特徴とする請求項１に記載の方法。
【請求項１０】
インデックスデータベースを生成する段階は、
前記少なくとも１つのオブジェクトの選択に基づいて汎用インデックスデータベースを生成する段階と、
前記レスポンダーデバイスに対する少なくとも１つのデバイスパラメータを使用して、前記汎用インデックスデータベースをデバイス固有のインデックスデータベースに変換する段階と、
を含む、
ことを特徴とする請求項１に記載の方法。
【請求項１１】
前記少なくとも１つのオブジェクトは、ビデオメディアオブジェクト、オーディオメディアオブジェクト、画像メディアオブジェクト、及び文書ファイルオブジェクトの少なくとも１つを含む、
ことを特徴とする請求項１に記載の方法。
【請求項１２】
前記少なくとも１つのオブジェクトを前記レスポンダーデバイスに転送する段階を更に含む、
ことを特徴とする請求項１に記載の方法。
【請求項１３】
前記レスポンダーデバイスの少なくとも１つのデバイスパラメータにアクセスする段階と、前記インデックスデータベースを前記レスポンダーデバイスに転送する段階の少なくとも１つが、有線リンク、無線リンク、及び取外し可能記憶媒体の少なくとも１つを使用して前記イニシエータデバイスと前記レスポンダーデバイスとの間で通信する段階を含む、
ことを特徴とする請求項１に記載の方法。
【請求項１４】
前記レスポンダーデバイスのインデックスデータベースにアクセスする段階を更に含み、
インデックスデータベースを生成する段階は、前記レスポンダーデバイスの少なくとも１つのデバイスパラメータ及び前記レスポンダーデバイスからアクセスされたインデックスデータベースに基づいて、新しいインデックスデータベースを生成する段階を含む、
ことを特徴とする請求項１に記載の方法。
【請求項１５】
請求項１の方法を実行するためにコンピュータ使用可能命令を組み込んだ１つ又はそれ以上のコンピュータ記憶媒体。
【請求項１６】
イニシエータデバイスにおいてインデックスデータベースを動的に生成するための方法であって、
レスポンダーデバイスの少なくとも１つのデバイスパラメータにアクセスする段階と、
前記少なくとも１つのデバイスパラメータを使用して、切断された状態の前記レスポンダーデバイスのオペレーションを表わす、前記レスポンダーデバイスのバーチャルモデルを構築する段階と、
前記レスポンダーデバイスのバーチャルモデルを使用して、少なくとも１つのオブジェクトの選択に対してインデックスデータベースを生成する段階と、
を含む方法。
【請求項１７】
前記レスポンダーデバイスの少なくとも１つのデバイスパラメータにアクセスする段階が、
少なくとも１つのデバイスパラメータを含むデバイスプロファイルにアクセスする段階と、
少なくとも１つのデバイスパラメータを前記レスポンダーデバイスから前記イニシエータデバイスに伝達する段階と、
の少なくとも１つを含む、
ことを特徴とする請求項１６に記載の方法。
【請求項１８】
インデックスデータベースを生成する段階は、
少なくとも１つのオブジェクトの選択に基づいて汎用インデックスデータベースを生成する段階と、
前記レスポンダーデバイスのバーチャルモデルを利用して、前記汎用インデックスデータベースを前記レスポンダーデバイスに対する前記少なくとも１つのデバイスパラメータに基づくデバイス固有のインデックスデータベースに変換する段階と、
を含む、
ことを特徴とする請求項１６に記載の方法。
【請求項１９】
請求項１６の方法を実行するためにコンピュータ使用可能命令を組み込んだ１つ又はそれ以上のコンピュータ記憶媒体。
【請求項２０】
複数のオブジェクトに対してインデックスデータベースを生成するための方法を実行するコンピュータ使用可能命令を組み込んだ１つ又はそれ以上のコンピュータ記憶媒体であって、前記インデックスデータベースは、レスポンダーデバイスの少なくとも１つのデバイスパラメータに基づいて生成され、前記方法が、
イニシエータデバイスにおいて、複数のオブジェクトの選択の指示を受け取る段階であって、各オブジェクトはコンテンツデータ及び前記コンテンツデータを記述するメタデータを含む、段階と、
前記イニシエータデバイスにおいて、前記レスポンダーデバイスの少なくとも１つのデバイスパラメータにアクセスする段階であって、前記少なくとも１つのデバイスパラメータは前記レスポンダ−デバイスの性能に影響を与える特徴を記述する、段階と、
前記イニシエータデバイスにおいて、前記レスポンダーデバイスの少なくとも１つのデバイスパラメータを使用して、前記複数のオブジェクトに対して前記インデックスデータベースを生成する段階であって、前記インデックスデータベースは、前記レスポンダーデバイスの少なくとも１つのデバイスパラメータに基づく前記レスポンダ−デバイスについてデバイス固有のものであり、前記インデックスデータベースは、前記複数のオブジェクトのブラウジング、管理及び再生のうち少なくとも１つについて、前記レスポンダ−デバイスに記憶された前記複数のオブジェクトの列挙を容易にする、段階と、
前記インデックスデータベースを前記イニシエータデバイスから前記レスポンダ−デバイスへ転送する段階と、
を備えることを特徴とするコンピュータ記憶媒体。